(57)【要約】【課題】床工事などの建築工事との調整を必要とすることなく、浴室（浴槽）を設置できる浴槽装置を提供する。【解決手段】浴槽装置８０は、床仕上面の上に設置された浴槽８１と、浴槽８１の側壁８１２の上端部よりも上方で、かつ浴槽８１の外側に設けられて浴槽８１の内部に向けて吐水するための肩かけシャワー（吐水部）８３と、を有する。浴槽装置８０は、浴槽８１に接続され、床仕上面よりも上側において配管された排水管をさらに有する。【選択図】図４
2018015223.tif 000002
【特許請求の範囲】
【請求項１】
床仕上面の上に設置された浴槽と、
前記浴槽の側壁の上端部よりも上方で、かつ前記浴槽の外側に設けられて前記浴槽の内部に向けて吐水するための吐水部と、を有することを特徴とする浴槽装置。
【請求項２】
前記浴槽に接続され、前記床仕上面よりも上側において配管された排水管をさらに有する請求項１に記載の浴槽装置。
【請求項３】
前記浴槽の底部には排水口と、前記排水口を開閉可能な目皿と、が設けられ、
前記目皿の上面は、前記浴槽の底面に沿った形状に形成されている請求項１又は２に記載の浴槽装置。
【請求項４】
前記目皿の上面は、下側に凹んだ凹面に形成されている請求項３に記載の浴槽装置。
【請求項５】
前記浴槽の側壁の内面のうちの、前記吐水部と離間する側の面は、下側から上側に向かって漸次前記吐水部と離間する側に延び、かつ前記吐水部と近接する側に突出する曲面に形成されている請求項１から４のいずれか一項に記載の浴槽装置。
【請求項６】
前記浴槽は、内部に給水管および排水管を有する集約設備の側部に設置され、
前記浴槽は、前記集約設備の前記排水管に接続され、
前記吐水部は、前記集約設備の前記給水管に接続されている請求項１から５のいずれか一項に記載の浴槽装置。
【請求項７】
前記吐水部は、前記集約設備の側部に設けられている請求項６に記載の浴槽装置。
【請求項８】
浴槽と、前記浴槽の側壁の上部に配置されて前記側壁の上縁部に沿ってスライド可能な開閉扉と、を有し、
前記側壁の上縁部には前記開閉扉の下縁部がスライド可能な受け溝が設けられ、
前記受け溝は、延在方向の一方側から他方側に向かって漸次下側に傾斜している浴槽装置。
【発明の詳細な説明】
【技術分野】
【０００１】
本発明は、居住空間の床仕上面の上に設置される浴槽装置に関する。
【背景技術】
【０００２】
従来、浴槽の底面に座った状態の入浴者の肩や首に湯をかける吐水口を有する浴槽装置が知られている（例えば、特許文献１参照）。特許文献１に記載された浴槽装置では、浴槽の側壁の上端部に浴槽内に吐水する吐水口が設けられている。このような浴槽装置によって入浴者の肩や首に湯がかかるようにすることで、入浴者は湯に十分に浸かった感覚を得られ、リラックスすることができる。この浴槽装置では、浴槽の底面に対する吐水口が設けられる浴槽の側壁の上端部の高さが、浴槽の底面に対する浴槽の底面に座った状態の入浴者の肩や首の高さと略同じ高さとなるように設計されている。
【０００３】
一般に、住居などに設けられる浴室では、浴室の洗い場の床面が洗面所や脱衣室などの床面（以下、床仕上面とする）と略同じ高さまたは床仕上面よりも低くなるように設計されている。また、浴室に設けられる浴槽は、床仕上面よりも低い床スラブ等に設置され、床仕上面よりも下側に配管された排水管に接続されている。
また、浴槽の底面は、浴室の洗い場の床面よりも下側に配置されている。
【先行技術文献】
【特許文献】
【０００４】
【特許文献１】特開２０１６−８４２８号公報
【発明の概要】
【発明が解決しようとする課題】
【０００５】
一般に、浴室を施工する場合、浴槽を床仕上面よりも下側に配置し、床仕上面よりも下側に配管された排水管に接続している。このため、浴室の施工工事では、床工事などの建築工事との調整（取り合い）が必要となる。その結果、浴室の施工が煩雑であるという問題がある。
【０００６】
本発明は、上述する問題点に鑑みてなされたもので、床工事などの建築工事との調整を必要とすることなく、浴室（浴槽）を設置できる浴槽装置を提供することを目的とする。
【課題を解決するための手段】
【０００７】
上記目的を達成するため、本発明に係る浴槽装置は、床仕上面の上に設置された浴槽と、前記浴槽の側壁の上端部よりも上方で、かつ前記浴槽の外側に設けられて前記浴槽の内部に向けて吐水するための吐水部と、を有することを特徴とする。
【０００８】
本発明では、浴槽は、床仕上面の上に設置されている。これにより、浴槽の設置工事の際に床工事などの建築工事との調整作業を少なくすることができる。
【０００９】
また、本発明に係る浴槽装置では、前記浴槽に接続され、前記床仕上面よりも上側において配管された排水管をさらに有していてもよい。
浴槽と接続された排水管が床仕上面よりも上側に配管されるため、排水管を設置する際に床工事などの建築工事との調整作業を少なくすることができる。
【００１０】
また、本発明に係る浴槽装置では、前記浴槽の底部には排水口と、前記排水口を開閉可能な目皿と、が設けられ、前記目皿の上面は、前記浴槽の底面に沿った形状に形成されていてもよい。
目皿の上面が浴槽の底面に沿った形状に形成されていることにより、入浴者は目皿の上に立ったり座ったりしても、違和感がない。このため、目皿の位置を任意の位置に設計することができる。
例えば、浴槽から居室の外部につながる排水管まで延びる排水管の長さを短くして排水勾配を確保するために、目皿の位置を居室の外部へつながる排水管に近い位置とすると、目皿の位置が浴槽の底面に座った入浴者の臀部の下側となることがある。しかしながら、入浴者は目皿の上に座っても違和感がないため、任意の位置に目皿を設計することができる。
【００１１】
また、本発明に係る浴槽装置では、前記目皿の上面は、下側に凹んだ凹面に形成されていてもよい。
このような構成とすることにより、目皿の上面を浴槽の底面に沿った形状とすることができる。また、目皿の位置が浴槽の底面に座った入浴者の臀部の下側となると、入浴者は凹面に座ることになるため、浴槽の底面に座った姿勢を維持しやすい。
【００１２】
また、本発明に係る浴槽装置では、前記浴槽の側壁の内面のうちの、前記吐水部と離間する側の面は、下側から上側に向かって漸次前記吐水部と離間する側に延び、かつ前記吐水部と近接する側に突出する曲面に形成されていてもよい。
このような構成とすることにより、上方から見た際に浴槽を広く見せることができる。このため、コンパクトな浴槽であっても、入浴者が圧迫感を感じることなく入浴することができる。
【００１３】
また、本発明に係る浴槽装置では、前記浴槽は、内部に給水管および排水管を有する集約設備の側部に設置され、前記浴槽は、前記集約設備の前記排水管に接続され、前記吐水部は、前記集約設備の前記給水管に接続されていてもよい。
このような構成とすることにより、浴槽装置の給水管および排水管を集約設備の給水管および排水管に接続すればよいため、浴槽装置を容易に設置することができる。
【００１４】
また、本発明に係る浴槽装置では、前記吐水部は、前記集約設備の側部に設けられていてもよい。
このような構成とすることにより、吐水部の給水管および排水管を短くすることができ、浴槽装置をコンパクトな形状とすることができる。
【００１５】
また、本発明に係る浴槽装置では、浴槽と、前記浴槽の側壁の上部に配置されて前記側壁の上縁部に沿ってスライド可能な開閉扉と、を有し、前記側壁の上縁部には前記開閉扉の下縁部がスライド可能な受け溝が設けられ、前記受け溝は、延在方向の一方側から他方側に向かって漸次下側に傾斜していてもよい。
浴室装置は、開閉扉を有することにより、開閉扉で浴槽の上部を仕切ることで浴槽自体を浴室として使用することができる。これにより、浴室の省スペース化を図ることができる。
また、受け溝は、延在方向の一方側から他方側に向かって漸次下側に向かうように傾斜していて、受け溝に入り込み受け溝に沿って延在方向の一方側から他方側に移動した湯水を浴槽の内部にガイド可能に構成されていることにより、受け溝に浴室装置の湯水が入り込んだとしても、この湯水が受け溝に溜まることを防止できる。
【発明の効果】
【００１６】
本発明によれば、床工事などの建築工事との調整（取り合い）を必要とすることなく、浴室の施工ができる。
【図面の簡単な説明】
【００１７】
【図１】本発明の実施形態に係る浴槽装置を備える設備ユニットおよび住居構造を示す模式図である。
【図２】実施形態の設備ユニットの斜視図である。
【図３】図２に示す設備ユニットの平面図である。
【図４】本実施形態に係る浴槽装置の斜視図である。
【図５】浴槽の平面図である。
【図６】図５のＡ−Ａ線断面図である。
【図７】（ａ）は目皿を図５のＢ方向から見た側面図、（ｂ）は目皿を図５のＣ方向から見た側面図である。
【図８】肩掛けシャワーの斜視図である。
【図９】図９とは異なる角度からみた肩掛けシャワーの斜視図である。
【図１０】設備ユニットを浴室側から見た一部破断側面図である。
【図１１】天井ユニットと浴室の開閉扉を示す縦断面図である。
【図１２】図１１に示す開閉扉の吊り構造のＤ部拡大図である。
【図１３】起立ユニットの両側に便所と浴室を設置した構成を示す説明図である。
【図１４】設備ユニットを便所側から見た側面図である。
【図１５】起立ユニットと天井ユニットを備えた集約設備の内部構造を示す説明図である。
【図１６】（ａ）は天井ユニットの変形例を示す断面図、（ｂ）は天井ユニットの他の変形例を示す断面図である。
【発明を実施するための形態】
【００１８】
以下、本発明の実施形態に係る浴槽装置を添付図面によって説明する。
図１は実施形態に係る浴槽装置８０を備える設備ユニットＳをマンション等の各種の建物内に設けた居室空間Ｋに設置した住居構造Ｊの模式図である。図２から図５は実施形態に係る浴槽装置８０を備える設備ユニットＳを示すものである。
図１において、建物内の住居の居室空間Ｋ内に水回り設備Ｍを備えた設備ユニットＳが設置されている。設備ユニットＳは給水管および排水管等の各種配管やダクト、電気設備等を収容した集約設備１と、その周囲に設けられた複数の水回り設備Ｍとで構成されている。図２および図３に示すように本実施形態では、水回り設備Ｍとして、集約設備１の周囲に便器１０（図３参照）、浴槽装置８０、キッチン台３０、および洗面台３３が設けられている。設備ユニットＳは居住空間Ｋ内の任意の位置で床仕上面２上に設置されている。
【００１９】
図２に示す集約設備１は、床仕上面２から起立する起立ユニット３とその上部に設けた天井ユニット４とで略Ｌ字形に形成されている。
起立ユニット３は水回り設備Ｍを支持する塔状構造体である。起立ユニット３は水平断面が縦横方向にそれぞれ所定幅を有する中空の筒体で形成され、床仕上面２から自立して鉛直方向に延びている。本実施形態における起立ユニット３は例えば角筒状とされ、各角部に設けた補強用のフレームと壁面をなすパネル材とで構成されている（図３参照）。
起立ユニット３の内部には給水管および排水管等の各種配管、および換気用ダクト等が収容されている。起立ユニット３の内部に収容された各種配管、配線およびダクト等は、略鉛直方向に延在する姿勢に配置されている。
【００２０】
天井ユニット４は水平方向に延在していて、断面略Ｕ字状に形成されて上部が開放されており、起立ユニット３の上端部に連結されている。起立ユニット３と天井ユニット４のコーナー部において、各配管は例えばＬ字管を介して連結され、天井ユニット４上の他端は居住空間Ｋの壁面を通して設備用の縦管を収納するパイプシャフトに格納された給水管や排水管などにそれぞれ接続されている。或いは、天井ユニット４は壁面と非接触に支持されていてもよい。或いは、天井ユニット４は壁面と非接触に支持されていてもよい。
天井ユニット４の内部には給水管および排水管等の各種配管、および換気ダクト等が収容されている。天井ユニット４の内部に収容された各種配管、各種配線およびダクト等は天井ユニット４が延在する水平方向に姿勢に配置されている。
【００２１】
なお、天井ユニット４は居室空間Ｋの外部まで延びていて、内部の配管等が居室空間Ｋの外部の配管等に連結されていてもよい。天井ユニット４は図示しない天井面をなす天井スラブの梁からわずかに隙間を開けて下側に設置されているが、天井面に当接して設置してもよい。
【００２２】
天井面と天井ユニット４との間に適宜の隙間を設置した方が、天井が高く見えるため好ましい。天井面は突出する梁や施工誤差等の関係で水平でない場合があり、天井ユニット４を天井面から離すことで水平に設置することができる。しかも、天井面と天井ユニット４との間に隙間を設けると後述するように天井ユニット４に配設した各種配管や電気配線２４や換気ダクト２１等のメンテナンスを行いやすい。
また、床仕上面２から天井ユニット４までの距離は適宜設定できるが、一例をいえば、２１１８ｍｍ〜１７２０ｍｍの範囲、或いは２１１８ｍｍ〜１８３０ｍｍの範囲に設定できる。
【００２３】
起立ユニット３や天井ユニット４は例えば略四角形筒枠や略Ｕ字枠等のフレームをパネルで覆った筒状や枠状にした構成でもよいし、或いはフレームを用いることなく高剛性パネルだけで四面を形成したフレームレス構造でもよい。また、起立ユニット３や天井ユニット４は略四角形筒状や断面略Ｕ字枠状に限定されず、略円筒状でもよいし他の多角形筒状でもよく、その断面形状は任意に設定できる。
【００２４】
また、図３に示すように、起立ユニット３の両側面には側壁（構造部材）１２ａ、１２ｂが略平行に配列されている。側壁１２ａ、１２ｂは所定厚みを有する壁体で、フレーム材とパネル材とで構成された構造部材である。側壁１２ａ、１２ｂは起立ユニット３を補強している。側壁１２ａ、１２ｂは、起立ユニット３の側面よりも水平方向の寸法が大きく、かつ床仕上面２から天井面近傍まで達する高さ寸法（起立ユニットと略同じ高さ寸法）に形成されている。本実施形態では、側壁１２ａは水平方向の寸法がキッチン台３０の幅寸法と略同じ寸法に形成され、側壁１２ｂは水平方向の寸法が洗面台３３の幅寸法と略同じ寸法に形成されている。
側壁１２ａ、１２ｂは、それぞれの延在方向（図３における左右方向）の一方の端部が起立ユニット３よりも延在方向の一方側に配置され、他方の端部が起立ユニット３よりも延在方向の他方側に配置されている。側壁１２ａ、１２ｂの延在方向の一方の端部側は浴槽８１の起立ユニット３側の一部を囲っている。
【００２５】
また、側壁１２ａ、１２ｂの他方の端部側は起立ユニット３の浴槽８１と反対側に延びて便器１０の両側部に配置されている。側壁１２ａ、１２ｂそれぞれの他方の端部側の間には便所１６となる空間が形成されている。側壁１２ａ、１２ｂの他方の端部間の開口に便所１６の扉１１が開閉可能に取り付けられている。なお、扉１１は設置しなくてもよい。
【００２６】
図２に示すように、集約設備１における起立ユニット３および天井ユニット４の投影面内の空間には起立ユニット３に浴槽装置８０が設置されている。
図２および図４に示すように、浴槽装置８０は、床仕上面２の上に設置される浴槽８１と、起立ユニット３の側部に設けられたシャワー８２と、起立ユニット３の側部に設けられた肩掛けシャワー（吐水部）８３と、を有している。
浴槽８１は起立ユニット３（又は床仕上面２）に対して可動しないように起立ユニット３および床仕上面２に固定されている。浴槽８１の上方には天井ユニット４が設置されており、これが浴槽８１の天井になる。
図５および図６に示すように、浴槽８１は、平面視形状が長尺の略長方形に形成されていて、平面形状が長尺の略長方形状の底部８１１と底部８１１の縁部全周から立ち上がる側壁８１２と、を有している。側壁８１２のうち平面視における長辺方向（図５および図６の左右方向）に延びる一対の部分をそれぞれ長辺側壁８１３，８１４とし、短辺方向（図５および図６の上下方向）に延びる一対の部分をそれぞれ短辺側壁８１５，８１６とする。浴槽８１は、長辺方向が天井ユニット４が延びる方向となり、一対の短辺側壁８１５，８１６のうちの一方の短辺側壁８１５が起立ユニット３に固定され、他方の短辺側壁８１６が起立ユニット３と離間している。
【００２７】
浴槽８１の底部８１１には、起立ユニット３側（一方の短辺側壁側）における短辺方向の略中央部に排水口８１７が形成され、排水口８１７を開閉可能な目皿８１８が設けられている。排水口８１７は平面視形状が短辺方向に長い楕円形状に形成されている。目皿８１８は、平面視形状が排水口８１７に相当する楕円形状に形成されていて、排水口８１７を塞ぐ際には排水口８１７に嵌合するように構成されている。排水口８１７および目皿８１８が楕円形に形成されていることにより、排水口８１７を塞いでいる目皿８１８が回転することが防止される。
また、目皿８１８の上面８１８ａは、排水口８１７を塞いた状態において、浴槽８１の底面８１１ａ（底部８１１の上面）に沿った形状に形成されている。本実施形態では、図７（ａ）および（ｂ）に示すように、目皿８１８の上面８１８ａは、下側にやや凹んだ凹面に形成されている。
本実施形態では、排水口８１７および目皿８１８が起立ユニット３側に設けられているため、一方の短辺側壁８１５および起立ユニット３に背を向けるようにして浴槽８１の底面８１１ａに座った入浴者の臀部が排水口８１７および目皿８１８の上部に位置することがある。このとき、目皿８１８が浴槽８１の底面８１１ａに沿った形状で、上面が下側にやや凹んだ凹面に形成されていることにより、入浴者が違和感なく目皿８１８の上に座ることができる。また、目皿８１８が楕円形で排水口８１７に対して回転することが防止されるため、入浴者が目皿８１８の上に座った際にも目皿８１８が回転してがたつくことが防止される。
また、図５および図６に示すように、浴槽８１は、他方の短辺側壁８１６の内面８１６ａが、下側から上側に向かって漸次起立ユニット３と離間する側に延び、かつ起立ユニット３と近接する側に突出する曲面に形成されている。
【００２８】
図４に示すように、シャワー８２は、起立ユニット３の側部のうちの浴槽８１と対向する側部に設けられた凹部８２１に設置されている。凹部８２１は、浴槽８１の長辺方向のうちの起立ユニット３と離間する側に開口していて、この起立ユニット３と離間する側から見て略長方形状に形成されている。凹部８２１には上方を向く載置面８２１ａが形成されている。
シャワー８２は、シャワーヘッド８２２と、シャワーヘッド８２２に接続されたホース８２３とを有している。
シャワーヘッド８２２は、載置面８２１ａの上に載置可能に構成されている。ホース８２３は、起立ユニット３の内部に設けられたホース収容部（不図示）に収容されている。シャワーヘッド８２２が凹部８２１から取り出されると、ホース８２３が載置面８２１ａに形成された孔部８２１ｂから引き出されるように構成されている。また、シャワーヘッド８２２が凹部８２１の載置面８２１ａの上に載置されると、ホース８２３が起立ユニット３の内部のホース収容部の内部に収容される。
載置面８２１ａには入浴に使用するシャンプーやせっけんなどを載置することができる。
【００２９】
図５、図８および図９に示すように、肩掛けシャワー８３は、浴槽８１に向かって吐水可能に構成されている。肩掛けシャワー８３は、起立ユニット３の内部に設けられた肩掛けシャワー用給水管８３１と、起立ユニット３の側部のうちの浴槽８１と対向する側部に形成された複数の吐水用孔部８３２と、を有している。
肩掛けシャワー用給水管８３１は、起立ユニット３の内部の給水管および給湯管と接続されている。
複数の吐水用孔部８３２は、肩掛けシャワー用給水管８３１と接続されている。肩掛けシャワー用給水管８３１から供給された湯水は吐水用孔部８３２を介して浴槽８１に吐水される。
複数の吐水用孔部８３２は、起立ユニット３の側面に沿って一列また複数の列で水平に配列されている。複数の吐水用孔部８３２は、例えば、浴槽８１の底面８１１ａから高さが約５００〜７００ｍｍのいずれかの高さとなるように配列されている。また、複数の吐水用孔部８３２が配列される幅寸法（短辺側壁８１５に沿った寸法）は、例えば、浴槽８１の起立ユニット３側の幅寸法を約８００ｍｍとした場合、約半分の約４００ｍｍに設定されている。
また、複数の吐水用孔部８３２は、起立ユニット３の側面に設けられていて、浴槽の８１の一方の短辺側壁８１５の外側に配置されている。
複数の吐水用孔部８３２は、浴槽の８１の一方の短辺側壁８１５の外側に配置されていて、浴槽８１の底面８１１ａからの高さが例えば、５００〜７００ｍｍのいずれかの高さに設定されている。これにより、複数の吐水用孔部８３２から吐水され湯水を浴槽８１の底面８１１ａに座った入浴者の肩や首に掛けることができる。本実施形態では、起立ユニット３の側面に設けられた複数の吐水用孔部８３２から湯水が吐水される形態としたが、複数の吐水用孔部８３２に代わって起立ユニット３の側面にバー状のシャワーが取り付けられていて、このバー状のシャワーから湯水が吐水される形態としてもよい。
【００３０】
本実施形態では、浴槽８１にオーバーフロー孔８４が設けられている。そして、本実施形態では、オーバーフロー孔８４から流れ出た湯水を、起立ユニット３の排水管に流して排水される状態と、肩掛けシャワー用給水管８３１に循環させて複数の吐水用孔部８３２を介して再び浴槽８１に吐水される状態と、に切り替え可能に構成されている。
肩掛けシャワー８３を使用する際には、起立ユニット３の給水管および給湯管から供給された湯水を複数の吐水用孔部８３２から吐水させる状態と、浴槽８１の湯水を循環させて複数の吐水用孔部８３２から吐水させる状態と、を選択することができる。
なお、肩掛けシャワー８３を使用する際に、浴槽８１の湯水を循環させるように選択しても、浴槽８１の湯水がオーバーフロー孔８４の高さに達しない場合には、起立ユニット３の給水管または給湯管から供給された湯水を吐水用孔部８３２から吐水させ、浴槽８１の湯水がオーバーフロー孔８４の高さに達し、オーバーフロー孔８４から湯水が流れる状態となった後に浴槽８１の湯水を肩掛けシャワー８３に循環させるようにしてもよい。
【００３１】
起立ユニット３の側面には、シャワー８２や肩掛けシャワー８３のレバー、シャワー８２や肩掛けシャワー８３の給湯温度の調整および肩掛けシャワー８３の運転の切り替え等を行うためのコントロールパネル等の操作部８５（図４および図１０参照）が設けられている。
起立ユニット３には、浴槽８１が取り付けられる位置に浴槽８１を連結可能な浴槽連結部３ａが設けられている。浴槽連結部３ａは、浴槽８１を位置決めして取り付けるための係止金具やダボ、浴槽８１が嵌合可能な嵌合部などで構成されている。起立ユニット３に浴槽連結部３ａが設けられていることにより、起立ユニット３に浴槽８１を取り付ける際の墨出しが不要になる。
【００３２】
また、本実施形態では、図４に示すように、長辺側壁８１３，８１４それぞれの上部に配置され、浴槽８１の内外を間仕切り可能な一対の開閉扉３５が設けられている。一対の開閉扉３５は、例えばガラス扉などで構成されている。
図１０に示すように、一対の開閉扉３５は、天井ユニット４の下面の幅方向両端部にそれぞれ設けられた吊り下げ機構３６にスライド可能に支持されている。また、開閉扉３５は、吊り下げ機構３６に支持されてスライドすると、浴槽８１の長辺側壁８１３，８１４の上縁部に沿ってスライドするように構成されている。また、一対の開閉扉３５は起立ユニット３側にスライドすると側壁１２ａ、１２ｂの内側に入り込むように構成されている。
一対の開閉扉３５が側壁１２ａ、１２ｂの内側に配置されると、浴槽８１の内外が連通され、入浴者が長辺側壁８１３，８１４を跨いで浴槽８１に出入り可能となる。また、一対の開閉扉３５をスライドさせて一対の長辺側壁８１３，８１４の上部に配置することで浴室１５の空間を居住空間Ｋから仕切ることができる。
側壁１２ａ、１２ｂのうちの浴槽８１に対向する面には、防水性を有するタイルパネル３４（図１１参照）が貼り付けられている。
【００３３】
次に、開閉扉３５の吊り下げ機構３６について詳述する。
図１１および図１２に示すように、吊り下げ機構３６には、天井ユニット４の下面の幅方向両端部に設けられ、天井ユニット４の長手方向に延びた一対のレール受け部４０を有している。この一対のレール受け部４０には浴室１５の両側に沿ってスライド可能な開閉扉３５の各複数対の車輪４４が吊り下げられている。
図１２に示す吊り下げ機構３６の拡大図に示すように、天井ユニット４の幅方向両端下面には上部枠体３７の下面にねじ止めされた下部枠体３８が設置されている。下部枠体３８内の上部には中央開口４０ｂを挟んで両側に一対のレール部４０ａが形成されたレール受け部４０が長手方向に沿って延びている。
【００３４】
一方、開閉扉３５の上端部を両面側から挟んで支持する一対の支持部４２の上部に支持軸４３が突出形成されている。この支持軸４３は中央開口４０ｂを通してレール受け部４０から下方の支持部４２に延びており、支持軸４３の上部両側にはレール部４０ａに載置されて摺動可能な一対の車輪４４が支持されている。
一対の支持部４２で挟持されて吊り下げられた開閉扉３５は下方に垂下されており、図１０に示すように、その下縁部は浴槽８１の一対の長辺側壁８１３，８１４の天端に設けられた受け溝４６内に納められている。そのため、開閉扉３５は、天井ユニット４のレール受け部４０に沿ってスライド移動すると、受け溝４６にガイドされて摺動し開閉作動する。なお、受け溝４６は浴槽８１の起立ユニット３と離間する側から起立ユニット３に近接する側に向けてわずかに下方傾斜している、また、浴槽８１の一対の長辺側壁８１３，８１４には、受け溝４６内に入り込んだ湯や水が起立ユニット３側に流れて浴槽８１内に落下するようにガイドするガイド部（不図示）形成されている。
なお、受け溝４６に流れ込んだ湯や水は、起立ユニット３側に流れて浴槽８１の上面と起立ユニット３との隙間からその下方に設けた排水パン（不図示）に誘導して起立ユニット３内の第一排水管１７に接続して排水するようにしてもよい。
なお、受け溝４６は、浴槽８の上縁面に形成される溝としたが、これに限られることなく、浴槽８の上縁面に設けられた断面コ字状のレールとしてもよい。
また、レール受け部４０の起立ユニット３から離間した外側端部には開閉扉３５が外れることを阻止するための図示しないストッパーが設けられている。
【００３５】
図１３および図１４に示すように、起立ユニット３の浴槽８１と反対側の側面には水洗便器等の便器１０が固定されている。図４に示す例では便器１０は床仕上面２より上側に浮いて起立ユニット３の側面に固定されている。なお、便器１０は起立ユニット３に支持されるとともに床仕上面２に支持されていてもよい。また、便器１０は例えば図示しない回動軸回りに起立及び倒伏可能に支持され、起立ユニット３にその一部が収納可能であってもよい。
起立ユニット３には、便器１０が取り付けられる位置に便器１０を連結可能な便器連結部３ｂが設けられている。便器連結部３ｂは、便器１０を位置決めして取り付けるための係止金具やダボ、便器１０が嵌合可能な嵌合部などで構成されている。起立ユニット３に便器連結部３ｂが設けられていることにより、起立ユニット３に便器１０を取り付ける際の墨出しが不要になる。
【００３６】
起立ユニット３の一方の側面に連結された一方の側壁１２ａの外側には、その下部に流し台やガス台等を有する下部キャビネット２９を備えたキッチン台３０が設置されている。図１４に示すように、一方の側壁１２ａの外側には、その上部でキッチン台３０の上方に上部キャビネット３１が取り付けられている。本実施形態では、一方の側壁１２ａの外側がキッチンの空間を構成している。
一方の側壁１２ａには、キッチン台３０および上部キャビネット３１がそれぞれ取り付けられる位置にキッチン台３０および上部キャビネット３１を連結可能なキッチン台連結部１２ｃおよび上部キャビネット連結部１２ｄが設けられている。
キッチン台連結部１２ｃおよび上部キャビネット連結部１２ｄは、キッチン台３０および上部キャビネット３１を位置決めして取り付けるための係止金具やダボ、キッチン台３０および上部キャビネット３１が嵌合可能な嵌合部などで構成されている。一方の側壁１２ａにキッチン台連結部１２ｃおよび上部キャビネット連結部１２ｄが設けられていることにより、一方の側壁１２ａにキッチン台３０および上部キャビネット３１を取り付ける際の墨出しが不要になる。
【００３７】
起立ユニット３の他方の側面に連結された他方の側壁１２ｂの外側には、その下部に洗面ボウル等を有する洗面台３３が取り付けられている。他方の側壁１２ｂの外側には、その上部で洗面台３３の上方に上部キャビネット３３ａが取り付けられている。本実施形態では、他方の側壁１２ｂの外側が洗面所の空間を構成している。
他方の側壁１２ｂには、洗面台３３および上部キャビネット３３ａが取り付けられる位置に洗面台３３および上部キャビネット３３ａを連結可能な洗面台連結部１２ｅおよび上部キャビネット連結部１２ｆが設けられている。
洗面台連結部１２ｅおよび上部キャビネット連結部１２ｆは、洗面台３３および上部キャビネット３３ａを位置決めして取り付けるための係止金具やダボ、洗面台３３および上部キャビネット３３ａが嵌合可能な嵌合部などで構成されている。他方の側壁１２ｂに洗面台連結部１２ｅおよび上部キャビネット連結部１２ｆが設けられていることにより、他方の側壁１２ｂに洗面台３３および上部キャビネット３３ａを取り付ける際の墨出しが不要になる。
【００３８】
また、図１３および図１５に示す集約設備１において、浴槽８１内の排水は排水管を介して略角筒状の起立ユニット３内に設置した第一排水ポンプ(圧送ポンプ)Ｐ１に供給され、第一排水管１７を介して起立ユニット３および天井ユニット４を通して外部に排出される。
なお、浴槽８１の排水口と第一排水ポンプＰ１との間の排水管の排水勾配を確保できない場合には、浴槽８１の排水口近傍に別の排水ポンプを設けて第一排水ポンプＰ１まで圧送するように構成されていてもよい。
また、第一排水ポンプ(圧送ポンプ)Ｐ１には、キッチン台３０や洗面台３３の排水管も接続されている。
第一排水ポンプ(圧送ポンプ)Ｐ１は排水や排水中のごみ等の物体をインペラ(羽根車)で砕く等して第一排水管１７を通して上方に圧送する。この第一排水管１７も起立ユニット３内を上方（鉛直方向）に延びて略９０度方向を変えて断面略Ｕ字状の天井ユニット４上を横方向（水平方向）に延びて外部に突出している。
浴槽８１、キッチン台３０および洗面台３３の排水管は、床下を通らずに床仕上面２よりも上側において起立ユニット３に引き込まれて第一排水ポンプＰ１に接続されている。
【００３９】
また、便器１０内の汚物や汚水を含む排水は排水管を介して起立ユニット３内の第二排水ポンプ(圧送ポンプ)Ｐ２に排出され、第二排水管１８を介して外部に排出される。第二排水ポンプＰ２は、排水中の汚物等をインペラ(羽根車)で砕く等して第二排水管１８の上方に圧送する。この第二排水管１８も第一排水管１７と同様に、起立ユニット３内を上方に延びて略９０度方向を変えて天井ユニット４上を横方向に延びて外部に突出している。
便器１０の排水管は、床下を通らずに床仕上面２よりも上側において起立ユニット３に引き込まれて第二排水ポンプＰ２に接続されている。
なお、第一排水ポンプＰ１および第二排水ポンプＰ２には、小形のタンクが設けられており、各ポンプは例えばタンクに貯留した排水の水位によってＯＮ／ＯＦＦ制御されるように構成されている。
【００４０】
また、起立ユニット３および天井ユニット４内には、浴槽８１、キッチン台３０および洗面台３３等に給湯を行う給湯管１９と、浴槽８１、便器１０、キッチン台３０および洗面台３３に給水を行う給水管２０とが収容されている。
浴槽８１、キッチン台３０および洗面台３３の給湯管は、床下を通らずに床仕上面２よりも上側において起立ユニット３に引き込まれて起立ユニット３内の給湯管１９に接続されている。浴槽８１、便器１０、キッチン台３０および洗面台３３の給水管は、床下を通らずに床仕上面２よりも上側において起立ユニット３に引き込まれて起立ユニット３内の給水管２０に接続されている。
【００４１】
また、起立ユニット３および天井ユニット４内には、浴室１５やキッチン台３０を換気するための換気ダクト２１が収容されている。便所１６内では、便器１０の下側付近に開口２２ａを有していて臭気を吸引し排気する排気ダクト２２が設置されている。これら換気ダクト２１や排気ダクト２２も起立ユニット３および天井ユニット４を通って外部に延びている。なお、換気ダクト２１に設けられる換気ファンや排気ダクト２２に設けられる排気ファンについては、適宜の位置に設置されていればよく、例えば、起立ユニット３内に設置されていれもよいし、天井ユニット４内や外部に設置されていてもよい。
【００４２】
集約設備１内には、浴室１５や便器１０、キッチン台３０や洗面台３３等に給電したり、信号送受信したりするための電気配線(配線)２４も束ねて設置されているが、これら電気配線２４は配線配管２５内に通線していてもよいし、或いは配線配管２５を用いずに、束ねて又は個別に配設していてもよい。また、これらの配管以外に空調用の配管（冷媒配管）、ガス管等を含んでいてもよい。
【００４３】
更に起立ユニット３の各側面には、便器１０での操作パネル等が設置されていてもよい(図示せず)。起立ユニット３の各側面には、照明、給湯、空調等を制御するスイッチ、コンセント、コントローラー、リモコンや、玄関等の周辺環境の状態を把握し制御するカメラ等の撮影機器又は赤外線センサ等の監視機器等を制御する受像機やリモコン等を設置してもよい。
そして、集約設備１の内部に収容した電気配線２４等を通して上述したスイッチやリモコン等に電力を供給したり制御信号を入出力したりすることができる。
【００４４】
なお、各配管や換気ダクト２１、排気ダクト２２等の断面形状は任意であり、天井ユニット４の高さを圧縮するために楕円形や長方形等の扁平な断面形状の配管やダクト等を採用してもよい。また、図１０や図１５において、本実施形態では、天井ユニット４を断面略Ｕ字状に形成して上部を天井側に開放したため、各配管や換気ダクト２１や排気ダクト２２や電気配線２４等を取り出し易くメンテナンスや交換等が容易になる。なお、天井ユニット４の上面に開閉可能な蓋を設置すれば、埃やごみ等の付着を防いで各部材のメンテナンスや交換等を容易に行うことができる。
【００４５】
また、起立ユニット３の側部や側壁１２ａ，１２ｂには照明器具（不図示）が設けられていてもよい。照明器具は、起立ユニット３の内部の電気配線に接続されている。照明器具のスイッチは起立ユニット３の側面などに設けられている。
起立ユニット３や側壁１２ａ，１２ｂに照明器具が設けられていることにより、照明器具で水回り設備Ｍや水回り設備Ｍが設置された空間を照明することができる。また、起立ユニット３に設けられた照明器具で居住空間Ｋを照明することもできる。このため、建物（居住空間Ｋの天井面など）に照明を設置する必要がなく、その手間を省略することができる。
起立ユニット３や側壁１２ａ，１２ｂに設けられた照明器具で居住空間Ｋを照明する場合、照明器具の光を居住空間Ｋの天井に向かって照射し、天井で反射した光によって居住空間全体を間接照明として照明することができる。なお、照明器具の光を居住空間Ｋに直接照射してもよい。
また、設備ユニットＳの外周における足元の巾木部分に、足元照明を設けてもよい。このようにすることにより、居住空間Ｋを演出することができる。また、夜間に足元照明によって設備ユニットＳの足元部分を照明することにより、居住空間Ｋの安全性を向上させることができる。
【００４６】
また、起立ユニット３の側部や側壁１２ａ，１２ｂには、水回り設備Ｍに用いるコンセントとは別に、居住空間Ｋで使用する居住空間用のコンセント（不図示）が設けられていてもよい。居住空間用のコンセントは、居住空間Ｋで使用する生活家電などを接続するために設けられていて、一般的に設けられる足元付近の高さ（例えば床上３００ｍｍ程度）、および一般的に設けられる高さよりも高い腰高付近の高さ（例えば床上９００ｍｍ程度）の２つの異なる高さにそれぞれ設けることができる。
コンセントが２つの異なる高さにそれぞれ設けられていることにより、コンセントの数を増やすことができてタコ足配線を防止することができる。また、腰高付近の高さにコンセントが設けられることにより、足元付近のコンセントに接続するときのように使用者が屈む必要がないため、高齢者などにとっても使い勝手が良い。
一般に、居住空間におけるコンセントの位置は、設計時に最適な位置に計画したつもりでも、実際に居住してみると使いにくい場合がある。これに対し、起立ユニット３の側部や側壁１２ａ，１２ｂに使用しやすい高さにコンセントが設けられていることにより、居住した後にも使い勝手の良い位置にコンセントが設けられていることになる。
【００４７】
また、起立ユニット３や天井ユニット４には居住空間Ｋの冷房や換気を行うための機器やダクト（不図示）が設けられていて、起立ユニット３の側面や天井ユニット４の下面に、冷暖房や換気などの空調の吹出し口や吸込み口（不図示）が設けられていてもよい。
また、暖房を行う際に足元に暖気を供給することが効率的である。しかしながら、一般的にエアコンなどの空調機は天井や壁の上端部近傍に設けられていて、暖房は天井側から行われている。また、足元に暖気を供給するために、床置きの暖房器具を設置することが考えられるが、暖房器具によって居住空間Ｋを狭くしてしまうという問題がある。
そこで、起立ユニット３の足元付近に、居住空間Ｋに暖気を送風する吹出し口（不図示）を設けて、居住空間Ｋに足元側から暖気を供給するようにしてもよい。これにより、居住空間を快適かつ効率的に暖房することができる。
【００４８】
集約設備１における各配管等を収容した天井ユニット４は必ずしも断面略Ｕ字状に形成されていなくてもよい。例えば、図１６（ａ）に示すように断面略矩形状の筒型に形成されていてもよいし、或いは図１６（ｂ）に示すように平板状等の載置面に形成されていてもよい。いずれの場合でも、天井ユニット４は第一排水管１７や第二排水管１８や給湯管１９や給水管２０や換気ダクト２１や排気ダクト２２や電気配線２４等を居室空間Ｋの床側から目視できないように配設できればよく、美観を損ねることがない。
【００４９】
本実施形態においては、起立ユニット３内に設けた第一および第二排水管１７，１８や給湯管１９や給水管２０等の各種の配管や電気配線２４等は二重床内に引き込むことなく、床仕上面２よりも上側から起立ユニット３を通して立ち上げて天井ユニット４を介して天井側に取り回すようにした。そのため、集約設備１とその周囲の浴槽８１や便器１０やキッチン台３０や洗面台３３等の水回り設備Ｍを床仕上面２上で起立ユニット３を中心にして適宜位置に選択的に且つ容易に設置できる。そして、各種配管・配線・ダクトは、天井ユニット４から例えば居住空間Ｋの壁を通して外部に延ばす等することができ、水回り設備Ｍの配置の多様化を図ることができる。
【００５０】
本実施形態に係る設備ユニットＳは上述した構成を備えており、次にその施工方法について説明する。
まず、建築工事で床仕上面２まで施工する。このとき、床下（二重床内）には設備配管類は一切設置する必要がないため、建築工事との取り合いがない。続いて、居室空間Ｋ内の適宜の位置に集約設備１の起立ユニット３を床仕上面２上に設置する。居室空間Ｋ内での起立ユニット３の設置位置は平面視中央付近でもよいし、コーナー部でもよいし、或はいずれかの壁面に近接する位置に設置してもよい。図１に示す例では居室空間Ｋの中央に設置した。起立ユニット３の内部には、第一排水ポンプＰ１と第二排水ポンプＰ２が設置されており、第一排水ポンプＰ１に第一排水管１７を接続して上方に延ばしている。同様に第二排水ポンプＰ２に第二排水管１８を接続して上方に延ばしている。更に、給湯管１９や給水管２０や換気ダクト２１や排気ダクト２２や電気配線２４等を収容した配線配管２５等も同様に収容されている。なお、起立ユニット３は工場においてフレーム枠を構築し、その内部に適宜配管・配線・ダクト類を取り付けた状態で現場に搬入し、施工現場にて起立ユニット３のパネル材を取り付けるようにしてもよいし、パネル材まで工場で取り付けて搬入するようにしてもよい。
【００５１】
図２および図３において、起立ユニット３は例えば略四角形筒状である。起立ユニット３に予め設けられた浴槽連結部３ａに浴槽８１を連結し、起立ユニット３に予め設けられた便器連結部３ｂに便器１０を連結する。そして、浴槽８１の排水管を第一排水ポンプＰ１に接続し、便器１０の排水管を第二排水ポンプＰ２にそれぞれ接続する。また、浴槽８１の給水管および便器１０の給水管を起立ユニット３の給水管２０に接続する。
起立ユニット３の側方の一方の側壁１２ａに予め設けられたキッチン台連結部１２ｃにキッチン台３０を連結し、上部キャビネット連結部１２ｄに上部キャビネット３１を連結する。そして、キッチン台３０の排水管を第一排水ポンプＰ１に接続する。また、キッチン台３０の給水管を起立ユニット３の給水管２０に接続する。
起立ユニット３の側方の他方の側壁１２ｂ予め設けられた洗面台連結部１２ｅに洗面台３３を連結し、上部キャビネット連結部１２ｆに上部キャビネット３３ａを連結する。そして、洗面台３３の排水管を第一排水ポンプＰ１に接続する。また、洗面台３３の給水管を起立ユニット３の給水管２０に接続する。
【００５２】
これらの水回り設備Ｍは起立ユニット３の略四角形筒状の各側面に放射状に設置して設備ユニットＳを形成することになる。しかも、各配管等は起立ユニット３を介して天井側に延ばすことで、各水回り設備Ｍの建築工事と設備工事との錯綜や取り合いをなくすことができる。そして、図１に示すように、設備ユニットＳを居室空間Ｋの中央付近に設置することで、その周囲を有効活用することができる。
具体的には、設備ユニットＳの周囲をリビングや寝室として利用したり、動線としての通路（廊下）や脱衣スペース、化粧直しのスペースとして利用したりできる。つまり、余計な間仕切り壁などを設けることなく、居住空間Ｋを最大限有効活用することができる。もちろん、設備ユニットＳを中心に居室空間Ｋを図示しない壁面パネルや家具等で仕切ることで、台所や居室や洗面所や廊下等を区画形成してもよい。
【００５３】
また、起立ユニット３の上端部に天井ユニット４を連結し、天井側に延ばした配管やダクト等を天井ユニット４上に載置する等して横方向にガイドして外部に突出させ外部配管等に連結させる。或いは、予め起立ユニット３に天井ユニット４を連結した略Ｌ字型の集約設備１を居室空間Ｋ内の床仕上面２に設置しておいてもよい。また、天井側に延ばした配管やダクト等は、天井ユニット４を設けない場合(図１参照)でも、天井に沿って横方向に配設することで居住空間Ｋの壁等を介して外部に突出させてもよい。
このようにして、居室空間Ｋ内の適宜位置に設備ユニットＳを設置できる。
なお、起立ユニット３や各水回り設備Ｍの下面に予め床仕上面２上での滑りをよくするスライダーボードを固定して置いてもよい。これによって、設備ユニットＳの起立ユニット３や水回り設備Ｍを居室空間Ｋ内に設置したり移動させたりする場合に、重量があっても床仕上面２を傷つけることなくスムーズに移動させることができる。設備ユニットＳを床仕上面２に固定する場合には、ネジ等で取り外し可能に床仕上面２に固定すればよい。
【００５４】
また、本実施形態に係る設備ユニットＳの使用方法の一例を説明すると次の通りである。
浴槽８１を使用する場合には、図示しないコントロールパネル又は操作パネルを操作して集約設備１内の給湯管１９を通して浴槽８１内に給湯する。給湯終了後、開閉扉３５を浴槽８１の長辺側壁８１３，８１４に形成した受け溝４６に沿ってスライドして開口することで入浴者が浴室１５内に入って入浴できる。
なお、受け溝４６に湯等が流入したとしても、受け溝４６は起立ユニット３側に傾斜しているために、受け溝４６を経由して浴槽８１内に流し込むことができる。
入浴後は浴槽８１内の湯を排出させ、第一排水ポンプＰ１によって第一排水管１７を通して天井側に圧送して排水する。
【００５５】
また、浴槽８１にて肩掛けシャワー８３を使用する場合は、入浴者は第１短辺側壁８１５に背を向けるようにして浴槽８１の底面８１１ａに座り、吐水用孔部から湯を吐水させて肩や首に湯を掛ける。このとき、吐水用孔部から吐水される湯が起立ユニット３の給湯管から供給された湯とするか、浴槽８１の湯を循環させた湯とするか選択する。
【００５６】
次に、便器１０を使用する場合には、給水管２０からの給水を溜めた図示しないタンクからの給水で便器１０内の汚水や汚物等を流し、汚水や汚物等は排水管を介して第二排水ポンプＰ２に設けられたタンクに排水される。第二排水ポンプＰ２では汚物や汚水がインペラ等で砕かれた状態で第二排水管１８第を通して天井側に圧送して排水される。キッチン台３０や洗面台３３においても、同様に給湯管１９や給水管２０から湯や水が給水され、排水として第一排水ポンプＰ１に排出される。
【００５７】
上述したように、本実施形態に係る浴槽装置８０によれば、浴槽８１は、床仕上面２の上に設置されている。これにより、浴槽８１の設置工事の際に床工事などの建築工事との調整作業を少なくすることができる。また、浴槽８１と接続された排水管が床仕上面２よりも上側に配管されるため、排水管を設置する際に床工事などの建築工事との調整作業を少なくすることができる。
【００５８】
また、従来の浴槽は、一般に浴室の洗い場の床面よりも下側の床スラブなどの上に配置されている。このため、洗い場の床面から側壁の上端部までの高さ寸法は、浴槽の底面から側壁の上端部までの高さよりも低くなる。これにより、浴槽の側壁の高さ寸法を使用者が浴槽の出入りの際に跨ぎやすい寸法としつつ、浴槽の深さを確保している。
これに対し本実施形態では、浴槽８１が床仕上面２の上に設置されることにより、従来のような浴槽８１が床仕上面２よりも下側の床スラブなどの上に設置される場合と比べて、浴槽８１の側壁８１２の高さが低くなり浅い浴槽８１となる。このため、入浴者が浴槽８１の底面８１１ａに座っても低い部位しか湯水に浸かることができない。例えば、胸部より上側が浴槽８１の上方に位置し、胸部よりも下側しか湯水に浸かることができない。
これに対し、本実施形態では、浴槽８１の側壁８１２の上端部よりも上方で、かつ浴槽８１の外側に設けられて浴槽８１の内部に湯水を吐水する吐水部が設けられている。これにより、吐水部から吐水された湯水を浴槽８１の底面８１１ａに座った状態の入浴者の例えば片や首に掛けることができるため、入浴者は片や首まで湯に浸かった感覚を得ることができ、リラックスすることができる。
【００５９】
また、目皿８１８の上面８１８ａが浴槽８１の底面８１１ａに沿った形状に形成されていることにより、入浴者は目皿８１８の上面８１８ａに立ったり座ったりしても、違和感がない。このため、目皿８１８の位置を任意の位置に設計することができる。
例えば、浴槽８１から居室の外部につながる排水管まで延びる排水管の長さを短くして排水勾配を確保するために、目皿８１８の位置を居室の外部へつながる排水管に近い位置とすると、目皿８１８の位置が浴槽８１の底面８１１ａに座った入浴者の臀部の下側となることがある。しかしながら、入浴者は目皿８１８の上面８１８ａに座っても違和感がないため、任意の位置に目皿８１８を設計することができる。
また、目皿８１８の上面８１８ａは、下側に凹んだ凹面に形成されていることにより、目皿８１８の位置が浴槽８１の底面８１１ａに座った入浴者の臀部の下側となると、入浴者は凹面に座ることになるため、浴槽８１の底面８１１ａに座った姿勢を維持しやすい。
【００６０】
また、浴槽８１には、オーバーフロー孔８４が設けられていて、オーバーフロー孔８４から流出した湯水が肩掛けシャワー８３からの吐水用孔部８３２から吐水可能に構成されていることにより、吐水用孔部８３２から吐水される湯水を循環させることができる。
また、他方の短辺側壁８１６の内面は、下側から上側に向かって漸次起立ユニット３と離間する側に延び、かつ起立ユニット３と近接する側に突出する曲面に形成されていることにより、上方から見た際に浴槽８１を広く見せることができる。このため、コンパクトな浴槽８１であっても、入浴者が圧迫感を感じることなく入浴することができる。
【００６１】
また、浴槽８１の上部に開閉扉３５が設けられていることにより、開閉扉３５で浴槽８１の上部を仕切ることで浴槽８１自体を浴室１５として使用することができる。これにより、浴室１５の省スペース化を図ることができる。
また、開閉扉３５の下端部がスライドする受け溝４６は、起立ユニット３側に向かって漸次下側となるように傾斜していて、受け溝４６に入り込み受け溝４６に沿って起立ユニット３側に移動した湯水を浴槽８１の内部にガイド可能に構成されていることにより、浴槽装置８０の湯水が受け溝４６に入り込んだとしても、受け溝４６に湯水が溜まることを防止できる。
【００６２】
また、浴槽８１は、起立ユニット３の側部に設置され、浴槽８１は、起立ユニット３の排水管に接続され、肩掛けシャワー８３は、起立ユニット３の給水管に接続されていることにより、浴槽装置８０の給水管および排水管を起立ユニット３の給水管および排水管に接続すればよいため、浴槽装置８０を容易に設置することができる。
また、肩掛けシャワー８３は、起立ユニット３の側部に設けられていることにより、肩掛けシャワー８３の給水管および排水管を短くすることができ、浴槽装置８０をコンパクトな形状とすることができる。
【００６３】
なお、本発明に係る浴槽装置８０は上述した実施形態に限定されるものではなく、本発明の趣旨を逸脱しない範囲で適宜の変更や置換等が可能である。以下に、本発明の変形例等について説明するが、上述した実施形態で説明した部品や部材等と同一又は同様なものについては同一の符号を用いて説明を省略する。
【００６４】
上述した実施形態では、目皿８１８の上面８１８ａが浴槽８１の底面８１１ａに沿った形状で下側に凹む凹面に形成されているが、目皿８１８の形状は適宜設定されてよい。また、浴槽８１の排水口８１７および目皿８１８の位置は適宜設定されてよい。
また、上述した実施形態では、浴槽８１には、オーバーフロー孔８４が設けられていて、オーバーフロー孔８４から流出した湯水が肩掛けシャワー８３からの吐水用孔部８３２から吐水可能に構成され、吐水用孔部８３２から吐水される湯水を循環させることができる。これに対して、肩掛けシャワー８３からの吐水用孔部８３２から吐水される湯水は起立ユニットの給水管または給湯管から供給された湯水のみとしてもよい。また、浴槽８１のオーバーフロー孔８４の位置は適宜設定されてよく、浴槽８１にオーバーフロー孔８４が形成されていなくてもよい。
また、上述した実施形態では、浴槽８１の他方の短辺側壁８１６の内面は、下側から上側に向かって漸次起立ユニット３と離間する側に延び、かつ起立ユニット３と近接する側に突出する曲面に形成されているが、浴槽８１の８１２の形状は適宜設定されてよい。
【００６５】
また、上述した実施形態では、浴槽８１の上部に開閉扉３５が設けられているが、開閉扉３５が設けられていなくてもよい。また、開閉扉３５を支持する機構は適宜設定されてよい。また、受け溝４６の形状も適宜設定されてよく、受け溝４６が設けられていなくてもよい。
また、上述した実施形態では、集約設備１が設けられていて、浴槽８１は、集約設備１の起立ユニット３の側部に設置されているが、集約設備１が設けられていなくてもよい。また、浴槽装置８０の給水管、給湯管および排水管は、床下に設けられた外部につながる給水管、給湯管および排水管に接続されていてもよい。
【００６６】
また、上述した実施形態では、起立ユニット３の内部に設けられた肩掛けシャワー用給水管８３１と、起立ユニット３の側部のうちの浴槽８１と対向する側部に形成された複数の吐水用孔部８３２と、を有する肩掛けシャワー８３が本発明の吐水部として設けられているが、吐水部は、湯水を吐水可能であれば、シャワーでなくてもよい。
【００６７】
また、上述した実施形態では、設備ユニットＳの集約設備１内に収容した各種配管を天井側に延ばすように構成したが、本発明では第一および第二排水管１７，１８や給湯管１９および給水管２０等の配管の一部（例えば、排水管）は床仕上面２の下側、例えば床仕上面２と床スラブの間の空間等に敷設してもよい。この場合には床仕上面２の下側で配管設置工事が必要になる。
なお、配管を床下に引き込んで床下から取り回す場合、第一および第二排水管１７，１８において適切な排水勾配が確保できる場合には第一および第二排水ポンプＰ１，Ｐ２を設置せず、排水を自然流下方式としてもよい。
また、上述した各配管やダクトや電気配線２４等の少なくとも一部を集約設備１の起立ユニット３を通して天井側に誘導させ、残りの一部を床下側に誘導するように構成してもよい。
【符号の説明】
【００６８】
Ｓ  設備ユニット
Ｊ  住居構造
１  集約設備
２  床仕上面
３  起立ユニット
４  天井ユニット
１２ａ、１２ｂ  側壁
１５  浴室
１７  第一排水管
１８  第二排水管
１９  給湯管
２０  給水管
３５  開閉扉
４４  車輪
４６  受け溝
８０  浴槽装置
８１  浴槽
８３  肩掛けシャワー（吐水部）
８１８  目皿
Ｐ１  第一排水ポンプ
Ｐ２  第二排水ポンプ
【図１】
2018015223.tif 000003
【図２】
2018015223.tif 000004
【図３】
2018015223.tif 000005
【図４】
2018015223.tif 000006
【図５】
2018015223.tif 000007
【図６】
2018015223.tif 000008
【図７】
2018015223.tif 000009
【図８】
2018015223.tif 000010
【図９】
2018015223.tif 000011
【図１０】
2018015223.tif 000012
【図１１】
2018015223.tif 000013
【図１２】
2018015223.tif 000014
【図１３】
2018015223.tif 000015
【図１４】
2018015223.tif 000016
【図１５】
2018015223.tif 000017
【図１６】
2018015223.tif 000018